(57)【要約】【課題】自動的に家を危険から回避させる。【解決手段】受信部９１は、放送信号を受信する。受信情報処理部９２は、受信部９１かにより受信された放送信号から音声信号を取得し、音声認識部９３は、その音声信号を音声認識する。判定部９４は、音声認識部２３により音声認識された音声信号から洪水や大雨などの危険情報を検出する。電力制御部９７は、判定部９４により検出された危険情報に基づいて、家に設置されたコンセントへの電力供給の状態を制御する。本発明は、例えば、コンセントが設置された家に適用できる。【選択図】図１７
2008135053.tif 000002
【特許請求の範囲】
【請求項１】
建物の設備の状態を制御する制御装置において、
信号を受信する受信手段と、
前記受信手段により受信された前記信号から情報を取得する情報取得手段と、
前記情報取得手段により取得された前記情報から所定の特定情報を検出する情報検出手段と、
前記情報検出手段により検出された前記所定の特定情報に基づいて、前記建物に設置されたコンセントへの電力供給の状態を、前記建物の設備の状態として制御する制御手段と
を備えることを特徴とする制御装置。
【請求項２】
前記所定の特定情報に関するリストを記憶している特定情報記憶手段をさらに備える
ことを特徴とする請求項１に記載の制御装置。
【請求項３】
前記コンセントに接続された電子機器への電力供給を遮断する順番に関するリストを記憶している順番記憶手段をさらに備え、
前記制御手段は、前記リストにしたがった順番で、前記コンセントに接続された前記電子機器への電力供給を遮断する
ことを特徴とする請求項１に記載の制御装置。
【請求項４】
前記コンセントと、そのコンセントに接続された電子機器との対応関係を取得する対応関係取得手段をさらに備え、
前記制御手段は、前記対応関係にも基づき、前記電子機器が接続されているコンセントへの電力供給を遮断する
ことを特徴とする請求項１に記載の制御装置。
【請求項５】
前記対応関係取得手段は、前記情報検出手段により前記特定情報が検出された場合に、前記対応関係を取得する
ことを特徴とする請求項４に記載の制御装置。
【請求項６】
前記情報検出手段により検出された前記所定の特定情報の重要度を判定する判定手段をさらに備え、
前記制御手段は、前記重要度にも基づいて、前記コンセントに接続された前記電子機器への電力供給の状態を制御する
ことを特徴とする請求項１に記載の制御装置。
【請求項７】
前記所定の特定情報と、その特定情報の前記重要度とを対応付けたリストを記憶している特定情報記憶手段をさらに備える
ことを特徴とする請求項６に記載の制御装置。
【請求項８】
前記コンセントに接続される前記電子機器のプラグは、
前記電子機器を識別する識別情報を記憶している記憶手段と、
前記記憶手段に記憶されている前記識別情報を電波により送信するアンテナと
を有し、
前記対応関係取得手段は、前記アンテナにより送信された前記識別情報から、前記電子機器を認識する
ことを特徴とする請求項４に記載の制御装置。
【請求項９】
前記対応関係取得手段は、無線タグにより、前記コンセントに接続された前記電子機器を認識する
ことを特徴とする請求項４に記載の制御装置。
【請求項１０】
前記コンセントに接続される前記電子機器のプラグは、前記電子機器を識別する識別情報を電波により送信し、
前記対応関係取得手段は、指向性を有するアンテナにより、前記電波による前記識別情報を受信し、その識別情報から、前記電子機器を認識する
ことを特徴とする請求項４に記載の制御装置。
【請求項１１】
前記対応関係取得手段は、前記コンセントに接続された前記電子機器のプラグから送信される電波を、指向性を有するアンテナで受信することにより、前記プラグの位置を認識し、そのプラグの位置に基づき、前記対応関係を認識する
ことを特徴とする請求項４に記載の制御装置。
【請求項１２】
建物の設備の状態を制御する制御方法において、
信号を受信する受信ステップと、
前記受信ステップにおいて受信された前記信号から情報を取得する情報取得ステップと、
前記情報取得ステップにおいて取得された前記情報から所定の特定情報を検出する情報検出ステップと、
前記情報検出ステップにおいて検出された前記所定の特定情報に基づいて、前記建物に設置されたコンセントへの電力供給の状態を、前記建物の設備の状態として制御する制御ステップと
を含むことを特徴とする制御方法。
【請求項１３】
建物の設備の状態を制御する処理を、コンピュータに実行させるプログラムにおいて、
信号を受信させる受信制御ステップと、
前記信号から情報を取得する情報取得ステップと、
前記情報取得ステップにおいて取得された前記情報から所定の特定情報を検出する情報検出ステップと、
前記情報検出ステップにおいて検出された前記所定の特定情報に基づいて、前記建物に設置されたコンセントへの電力供給の状態を、前記建物の設備の状態として制御する制御ステップと
を含むことを特徴とするプログラム。
【請求項１４】
建物の設備の状態を制御する処理を、コンピュータに実行させるプログラムが記録されている記録媒体において、
信号を受信させる受信制御ステップと、
前記信号から情報を取得する情報取得ステップと、
前記情報取得ステップにおいて取得された前記情報から所定の特定情報を検出する情報検出ステップと、
前記情報検出ステップにおいて検出された前記所定の特定情報に基づいて、前記建物に設置されたコンセントへの電力供給の状態を、前記建物の設備の状態として制御する制御ステップと
を含むことを特徴とするコンピュータが読み取り可能なプログラムが記録されている記録媒体。
【請求項１５】
設備の状態を制御する建物において、
信号を受信する受信手段と、
前記受信手段により受信された前記信号から情報を取得する情報取得手段と、
前記情報取得手段により取得された前記情報から所定の特定情報を検出する情報検出手段と、
前記情報検出手段により検出された前記所定の特定情報に基づいて、前記建物に設置されたコンセントへの電力供給の状態を、前記建物の設備の状態として制御する制御手段と
を備えることを特徴とする建物。
【発明の詳細な説明】
【技術分野】
【０００１】
本発明は、制御装置および制御方法、プログラム、記録媒体並びに建物に関し、特に、例えば、家などの建物において、その住人などを、自動的に危険から回避させることができるようにする制御装置および制御方法、プログラム、記録媒体並びに建物に関する。
【背景技術】
【０００２】
従来の家は、例えば、雨や露などをしのぐために、あるいは、空き巣の侵入などを防ぐために、雨戸や二重窓が取り付けられるといった様々な工夫が凝らされている。
【０００３】
図１を参照して、従来の家に設けられているドアについて説明する。従来の家においては、例えば、家の外側の壁を構成する外壁１に、家から出入りするため家の外または内に向けて開閉されるドアパネル４が、２つの蝶番６−１と蝶番６−２を接合部材としてビスで固定されて接合されている。
【０００４】
外壁１とドアパネル４の間、即ち、外壁１のうち、ドアパネル４を設けるために空けられた開口部分の縁部分（以下、適宜、外壁淵と称する）と、ドアパネル４の外縁の枠部分である外淵３との間には、隙間２が設けられている。隙間２は、ドアパネル４または外壁１を取り巻く大気の温度が変化することにより外壁１またはドアパネル４が膨張して形状が変化し、外壁１の外壁淵とドアパネル４の外淵３とが密着することにより、ドアパネル４を抵抗なくスムーズに開閉することができなくなってしまうことを防止するために設けられている。
【０００５】
ドアパネル４には、ドアノブ５と蝶番６−１と蝶番６−２が取り付けられている。ドアパネル４は、外開き、または内開き式の扉であり、家に出入りする人間が、手でドアパネル４に取り付けられているドアノブ５を握って右あるいは左にひねり、さらに右あるいは左にひねった状態からドアノブ５を手前に引く、または、前に押し出すことにより、図１において、ドアパネル４の左端に接合されている蝶番６−１と蝶番６−２を支点として、家の外または内に向けて開閉される。
【０００６】
ドアノブ５は、その内部に図示せぬロック機構が設けられている。その図示せぬロック機構により、家に出入りする際に開閉されるドアパネル４を施錠することができる。したがって、ドアノブ５に備え付けられているロック機構によりドアパネル４が施錠された場合、人間がドアノブ５を操作し、ドアノブ５を握って右あるいは左にひねろうとしても、ドアノブ５をひねることができないため、ドアパネル４は、家の外または内に向けて開閉することはできない。
【０００７】
蝶番６−１と蝶番６−２は、外壁１とドアパネル４とを接合している接合部材であり、２つのプレートを１組に組み合わせ、２つのプレートそれぞれの一縁が棒軸で接合されることにより、棒軸を基軸として２つのプレートが開いたり閉じたりするようになっている。蝶番６−１と蝶番６−２の片方のプレートは、ドアパネル４の外淵３の左端部分である左フレームにビスで固定され、さらに、蝶番６−１と蝶番６−２の他方のプレートが外壁１にビスで固定されることにより、ドアパネル４と外壁１とが、ドアパネル４が開閉可能なように接合される。
【０００８】
また、いわゆる家電（家庭用電子機器）などの電子機器が多く家庭に普及するようになった結果、電子機器と家とが融合して一体となったものとして、例えば、電気的にドアを開閉することがきる電動ドア、電気的に窓を開閉することがきる自動開閉窓、無線により遠方と通信を行い、電波を送受信することが可能な脈測定機能付き椅子、および電子機器がＣＰＵ（Central Processing Unit）を有している場合において、すべての電子機器を制御することができる制御装置を有したトロン住宅と呼ばれる住宅等がある。
【０００９】
一方、特許文献１には、例えば、キープレートなどの鍵と、例えば、ラッチ機構が組み込んである鍵本体と組み合わされる鍵装置との間で、光学的な信号であるコードをやり取りすることにより、鍵本体を解錠状態とする鍵装置が記載されている。
【００１０】
さらに、特許文献２には、コンピュータにより、機器を接続するコンセントから電気機器に流れ出ている電流の値が検出され、電気機器が待機状態であると判定された場合に、電気機器への電力供給を遮断する電気機器用電源供給装置が記載されている。
【００１１】
図２は、図１のドアノブ５のロック機構が破壊された状態を示している。
【００１２】
図２において、ドアノブ５の図示せぬロック機構が何らかの原因により破壊された場合、ドアパネル４は、誰でも容易に開閉することができる状態となる。この場合、空き巣や泥棒その他の不審者が、ドアパネル４を開き、容易に家に侵入することができてしまう。
【００１３】
したがって、例えば、ユーザが家に不在の場合、例えば、家のそばで泥棒が侵入したといった事件情報などの、安全を脅かす危険を知らせる報道を放送している電波を受信したとき、受信した放送の内容から危険を察知することにより、例えば、泥棒が鍵を壊したとしても自動的にドアを開閉することができないようにするなど、家自体が危険情報を常時認識することができ、いつでも危険情報に対応することができるインテリジェントかつアクティブに動作する家が望ましい。
【００１４】
しかしながら、従来においては、不審者等に対する防犯対策といった行為を、人が危険を察知することにより行っている、即ち、人が必要に応じて家の設備を操作して行っている。従って、人が不在の場合、あるいは、人が家にいても、慌てている場合には、危険に対してリアルタイムに、ドアや窓からの不審者等の侵入を防ぐことができず、危険回避のための対策が十分であるとは言い難い。
【００１５】
【特許文献１】特開平５−１４１１３９号公報（特許第３２８６９９５号）
【特許文献２】特開２００２−１８６１８７号公報（特許第３４１７９１９号）
【発明の開示】
【発明が解決しようとする課題】
【００１６】
また、例えば、ユーザが家に不在の場合、台風が襲来し大雨や洪水などの警報が発令されたといった災害情報などの、安全を脅かす危険を知らせる報道を放送している電波を受信したとき、受信した放送の内容から危険を察知することにより、例えば、洪水や浸水により生じうる漏電による感電や火災といった被害をくい止めるために、電子機器への電源供給を自動的にオフにするなど、家自体が危険情報を常時認識することができ、いつでも危険情報に対応することができるインテリジェントかつアクティブに動作する家が望ましい。
【００１７】
しかしながら、従来においては、電子機器への電源供給のオン／オフの切り替えといった行為を、人が危険を察知することにより行っている、即ち、人が必要に応じて家の設備を操作して行っている。従って、人が不在の場合、あるいは、人が家にいても、慌てている場合には、危険に対してリアルタイムに、電子機器への電源供給をオフにするといった対応をとることができず、危険回避のための対策が十分であるとは言い難い。
【００１８】
本発明はこのような状況に鑑みてなされたものであり、危険情報に対して、インテリジェントかつアクティブに建物の設備の状態を制御することにより、十分な危険回避を可能とするものである。
【課題を解決するための手段】
【００１９】
本発明の制御装置は、信号を受信する受信手段と、受信手段により受信された信号から情報を取得する情報取得手段と、情報取得手段により取得された情報から所定の特定情報を検出する情報検出手段と、情報検出手段により検出された所定の特定情報に基づいて、建物に設置されたコンセントへの電力供給の状態を、建物の設備の状態として制御する制御手段とを備えることを特徴とする。
【００２０】
本発明の制御方法は、信号を受信する受信ステップと、受信ステップにおいて受信された信号から情報を取得する情報取得ステップと、情報取得ステップにおいて取得された情報から所定の特定情報を検出する情報検出ステップと、情報検出ステップにおいて検出された所定の特定情報に基づいて、建物に設置されたコンセントへの電力供給の状態を、建物の設備の状態として制御する制御ステップとを含むことを特徴とする。
【００２１】
本発明のプログラムは、信号を受信させる受信制御ステップと、信号から情報を取得する情報取得ステップと、情報取得ステップにおいて取得された情報から所定の特定情報を検出する情報検出ステップと、情報検出ステップにおいて検出された所定の特定情報に基づいて、建物に設置されたコンセントへの電力供給の状態を、建物の設備の状態として制御する制御ステップとを含むことを特徴とする。
【００２２】
本発明の記録媒体は、信号を受信させる受信制御ステップと、信号から情報を取得する情報取得ステップと、情報取得ステップにおいて取得された情報から所定の特定情報を検出する情報検出ステップと、情報検出ステップにおいて検出された所定の特定情報に基づいて、建物に設置されたコンセントへの電力供給の状態を、建物の設備の状態として制御する制御ステップとを含むことを特徴とする。
【００２３】
本発明の建物は、信号を受信する受信手段と、受信手段により受信された信号から情報を取得する情報取得手段と、情報取得手段により取得された情報から所定の特定情報を検出する情報検出手段と、情報検出手段により検出された所定の特定情報に基づいて、建物に設置されたコンセントへの電力供給の状態を、建物の設備の状態として制御する制御手段とを備えることを特徴とする。
【００２４】
本発明の制御装置および制御方法、プログラム、記録媒体、並びに建物においては、信号が受信され、その信号から情報が取得される。さらに、その情報から所定の特定情報が検出され、その特定情報に基づいて、建物に設置されたコンセントへの電力供給の状態が、建物の設備の状態として制御される。
【発明の効果】
【００２５】
本発明によれば、危険情報を受信して、自動的に家を危険から回避させるようにすることができる。
【発明を実施するための最良の形態】
【００２６】
以下に本発明の実施の形態を説明するが、本明細書に記載の発明と、実施の形態との対応関係を例示すると、次のようになる。なお、明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、明細書に記載されている発明が、全て請求されていることを意味するものではない。換言すれば、この記載は、明細書に記載されている発明であって、この出願では請求されていない発明の存在、すなわち、将来、分割出願されたり、補正により出願したり、追加される発明の存在を否定するものではない。
【００２８】
本発明によれば、制御装置が提供される。この制御装置は、建物（例えば、図１６の家７１）の設備の状態を制御する制御装置（例えば、図１６の制御装置７３）において、信号を受信する受信手段（例えば、図１７の受信部９１）と、受信手段により受信された信号から情報を取得する情報取得手段（例えば、図１７の受信情報処理部９２）と、情報取得手段により取得された情報から所定の特定情報を検出する情報検出手段（例えば、図１７の判定部９４）と、情報検出手段により検出された所定の特定情報に基づいて、建物に設置されたコンセント（例えば、図２１のコンセント１２１−１乃至コンセント１２１−４）への電力供給の状態を、建物の設備の状態として制御する制御手段（例えば、図１７の電力制御部９７）とを備えることを特徴とする。
【００２９】
この制御装置は、所定の特定情報に関するリスト（例えば、図１９の該当地域リスト、およびキーワードリスト）を記憶している特定情報記憶手段（例えば、図１８のメモリ１０３）をさらに備えることができる。
【００３０】
この制御装置は、コンセント（例えば、図２１のコンセント１２１−１乃至コンセント１２１−４）に接続された電子機器（例えば、図１６のアイロン８１、電気ストーブ８２、冷蔵庫８３、およびＰＣ８４）への電力供給を遮断する順番に関するリスト（例えば、図２４の電子機器電源オフ優先順位リスト）を記憶している順番記憶手段（例えば、図２０の情報記憶部１１５）をさらに備えることができ、制御手段（例えば、図１７の電力制御部９７）には、リストにしたがった順番で、コンセントに接続された電子機器への電力供給を遮断させることができる。
【００３１】
この制御装置では、コンセント（例えば、図２１のコンセント１２１−１乃至コンセント１２１−４）と、そのコンセントに接続された電子機器（例えば、図１６のアイロン８１、電気ストーブ８２、冷蔵庫８３、およびＰＣ８４）との対応関係を取得する対応関係取得手段（例えば、図２０のＩＤ取得部１１２）をさらに備えることができ、制御手段（例えば、図１７の電力制御部９７）には、対応関係にも基づき、電子機器が接続されているコンセントへの電力供給を遮断させることができる。
【００３２】
この制御装置では、対応関係取得手段（例えば、図２０のＩＤ取得部１１２）には、情報検出手段（例えば、図２０の情報特定部１１３）により特定情報が検出された場合に、対応関係を取得させることができる
【００３３】
この制御装置は、情報検出手段により検出された所定の特定情報の重要度を判定する判定手段（例えば、図３０の危険度判定部１４１）をさらに備えることができ、制御手段（例えば、図１７の電力制御部９７）には、重要度にも基づいて、コンセント（例えば、図２１のコンセント１２１−１乃至コンセント１２１−４）に接続された電子機器（例えば、図１６のアイロン８１、電気ストーブ８２、冷蔵庫８３、およびＰＣ８４）への電力供給の状態を制御することができる。
【００３４】
この制御装置は、所定の特定情報と、その特定情報の重要度とを対応付けたリスト（例えば、図３１の該当地域リスト、およびキーワードリスト）を記憶している特定情報記憶手段（例えば、図３０のメモリ１０３）をさらに備えることができる。
【００３５】
この制御装置では、コンセント（例えば、図２１のコンセント１２１−１乃至コンセント１２１−４）に接続される電子機器（例えば、図１６のアイロン８１、電気ストーブ８２、冷蔵庫８３、およびＰＣ８４）のプラグ（例えば、図２２のプラグ１３１）に、電子機器を識別する識別情報を記憶している記憶手段（例えば、図２２のＩＤ記憶部１３２）と、記憶手段に記憶されている識別情報（例えば、電子機器のＩＤ）を電波により送信するアンテナ（例えば、図２２のアンテナ１３４）とを設けることができ、対応関係取得手段（例えば、図２０のＩＤ取得部１１２）には、アンテナにより送信された識別情報から、電子機器を認識させることができる。
【００３６】
この制御装置では、対応関係取得手段（例えば、図２０のＩＤ取得部１１２）には、無線タグにより、コンセント（例えば、図２１のコンセント１２１−１乃至コンセント１２１−４）に接続された電子機器（例えば、図１６のアイロン８１、電気ストーブ８２、冷蔵庫８３、およびＰＣ８４）を認識させることができる。
【００３７】
この制御装置では、コンセント（例えば、図２１のコンセント１２１−１乃至コンセント１２１−４）に接続される電子機器（例えば、図１６のアイロン８１、電気ストーブ８２、冷蔵庫８３、およびＰＣ８４）のプラグ（例えば、図２２のプラグ１３１）に、電子機器を識別する識別情報を電波により送信させ、対応関係取得手段（例えば、図２０のＩＤ取得部１１２）に、指向性を有するアンテナ（例えば、図２０のアンテナ９６）により、電波による識別情報（例えば、電子機器のＩＤ）を受信させ、その識別情報から、電子機器を認識させることができる。
【００３８】
この制御装置では、対応関係取得手段（例えば、図２０のＩＤ取得部１１２）に、コンセント（例えば、図２１のコンセント１２１−１乃至コンセント１２１−４）に接続された電子機器（例えば、図１６のアイロン８１、電気ストーブ８２、冷蔵庫８３、およびＰＣ８４）のプラグ（例えば、図２２のプラグ１３１）から送信される電波を、指向性を有するアンテナ（例えば、図２０のアンテナ９６）で受信させることにより、プラグの位置を認識させ、そのプラグの位置に基づき、対応関係を認識させることができる。
【００３９】
また、本発明によれば、制御方法が提供される。この制御方法は、建物（例えば、図１６の家７１）の設備の状態を制御する制御方法において、信号を受信する受信ステップ（例えば、図２８のステップＳ６１）と、受信ステップにおいて受信された信号から情報を取得する情報取得ステップ（例えば、図２８のステップＳ６２）と、情報取得ステップにおいて取得された情報から所定の特定情報を検出する情報検出ステップ（例えば、図２５のステップＳ６４）と、情報検出ステップにおいて検出された所定の特定情報に基づいて、建物に設置されたコンセント（例えば、図２１のコンセント１２１−１乃至コンセント１２１−４）への電力供給の状態を、建物の設備の状態として制御する制御ステップ（例えば、図２８のステップＳ６７）とを含むことを特徴とする。
【００４０】
また、本発明によれば、プログラムが提供される。このプログラムは、建物の設備の状態を制御する処理を、コンピュータに実行させるプログラムにおいて、信号を受信させる受信制御ステップ（例えば、図２８のステップＳ６１）と、信号から情報を取得する情報取得ステップ（例えば、図２８のステップＳ６２）と、情報取得ステップにおいて取得された情報から所定の特定情報を検出する情報検出ステップ（例えば、図２５のステップＳ６４）と、情報検出ステップにおいて検出された所定の特定情報に基づいて、建物に設置されたコンセント（例えば、図２１のコンセント１２１−１乃至コンセント１２１−４）への電力供給の状態を、建物の設備の状態として制御する制御ステップ（例えば、図２８のステップＳ６７）とを含むことを特徴とする。
【００４１】
このプログラムは、記録媒体に記録することができる。
【００４２】
また、本発明によれば、建物が提供される。この建物は、設備の状態を制御する建物（例えば、図１６の家７１）において、信号を受信する受信手段（例えば、図１７の受信部９１）と、受信手段により受信された信号から情報を取得する情報取得手段（例えば、図１７の受信情報処理部９２）と、情報取得手段により取得された情報から所定の特定情報を検出する情報検出手段（例えば、図１７の判定部２４）と、情報検出手段により検出された所定の特定情報に基づいて、建物に設置されたコンセント（例えば、図２１のコンセント１２１−１乃至コンセント１２１−４）への電力供給の状態を、建物の設備の状態として制御する制御手段（例えば、図１７の電力制御部９７）とを備えることを特徴とする。
【００４３】
以下、本発明の実施の形態について説明する。
【００４４】
図３は、本発明を適用した家の第１実施の形態の構成例を示すブロック図である。図３において、図１と同様の構成部分については、その説明を、適宜、省略する。
【００４５】
図３の外壁１には、ドア枠１１−１乃至ドア枠１１−３が配置されている。ドア枠１１−１乃至ドア枠１１−３は、形状が変化しない形状固定状態と、電流が流される（通電状態となる）ことにより軟らかくなって形状を変化させることができる形状可変状態とになる特徴を有する形状可変部材である、例えば、形状記憶合金で構成されている。ドア枠１１−１はドアパネル４の右端の淵部分である右フレームに、ドア枠１１−２はドアパネル４の上端の淵部分である上フレームに、ドア枠１１−３は左フレームに、それぞれ沿って配置されている。即ち、ドア枠１１−ｊ（但し、ｊ＝１，２，３）は、ドアパネル４の右フレーム、上フレーム、および左フレームを囲むように配置されている。さらに、蝶番６−１と蝶番６−２の一方のプレートは、図１と同様に、ドアパネル４の左端部分である左フレームにビスで固定され、さらに、蝶番６−１と蝶番６−２の他方のプレートが外壁１にビスで固定されることにより、ドアパネル４は、蝶番６−１および蝶番６−２を支点として回動可能なように外側に固定されている。
【００４６】
ドアパネル４とドア枠１１−ｊの間には、図１と同様に、隙間２が設けられている。隙間２が設けられている理由は、図１で説明した通りである。
【００４７】
ドア枠１１−ｊのドアパネル４のフレームに面している側の淵と、その反対側の淵、即ち、外壁１に接合されている淵には、電極１２−ｊが取り付けられている。
【００４８】
電極１２−ｊは、制御装置１６を介して、図示せぬ電源に接続されている。従って、電極１２−ｊには、制御装置１６を介して、電源から電圧が印加される。
【００４９】
電極１２−ｊに電圧が印加されると、その電圧に応じて、電極１２−ｊに挟まれているドア枠１１−ｊに電流が流れている。ドア枠１１−ｊである形状可変部材は、そこに電流が流れると、即ち、通電状態となると、形状固定状態から形状可変状態になる。さらに、ドア枠１１−ｊは、形状可変状態となり、アクチュエータ１５から圧力が加えられると、その圧力によって形状を変化させる。例えば、ドア枠１１−ｊは、隙間２の幅が狭められていく方向、即ち、ドアパネル４を圧縮する方向に圧力を加えると、その形状を変化させてドアパネル４に圧着する。その後、電極１２−ｊへの電圧の印加が停止され、電極１２−ｊに挟まれているドア枠１１−ｊに電流が流れていない状態となると、ドア枠１１−ｊは形状可変状態から形状固定状態となる。この場合、ドアパネル４とドア枠１１−ｊとは、その間に隙間２がない圧着状態のままとなり、ドアパネル４は、たとえロック状態でなくても、開くことが困難となる。
【００５０】
一方、ドア枠１１−ｊがドアパネル４との間に隙間２がない圧着された状態である形状固定状態において、電極１２−ｊへの電圧の印加が再び開始され、電極１２−ｊに挟まれているドア枠１１−ｊに電流が流れている状態となると、ドア枠１１−ｊは、形状固定状態から形状可変状態となり、アクチュエータ１５から圧力が加えられていない場合には、元の形状に復元する。さらに、ドア枠１１−ｊは、元の形状に復元した状態で、電極１２−ｊへの電圧の印加が停止されると、元の形状で形状固定状態となる、即ち、図３の状態に戻ることができる。
【００５１】
なお、電極とドア枠は、ドアパネル４の下のフレームにも配置することができる。さらに、ドア枠１１−ｊは、隙間２の幅が広められる方向、即ち、ドアパネル４を圧縮する方向と逆の方向に、アクチュエータ１５から圧力を加えて、元の形状に復元してもよい。
【００５２】
センサ１３は、例えば、ドアパネル４の上下左右それぞれの外淵に取り付けられている。センサ１３は、制御装置１６の制御によってセンサスイッチ（センサＳＷ）１４がオンにされると、形状可変状態でアクチュエータ１５から圧力が加えられたドア枠１１−ｊがドアパネル４に対して加える圧力の計測を開始し、計測された圧力を制御装置１６に供給する。一方、センサ１３は、センサスイッチ１４がオフにされると、ドア枠１１−ｊがドアパネル４に対して加える圧力の計測を停止する。
【００５３】
センサスイッチ１４には、制御装置１６からスイッチ制御信号が供給される。センサスイッチ１４は、制御装置１６から供給されたスイッチ制御信号に基づき、オン、オフし、センサ１３に圧力の計測を開始または停止させる。
【００５４】
アクチュエータ１５には、制御装置１６から動作信号が供給される。アクチュエータ１５は、制御装置１６から供給される動作信号に基づき、形状可変状態となったドア枠１１−ｊに圧力を加えて、その形状を変形させる。
【００５５】
制御装置１６は、アンテナ１７が受信した放送信号に基づき、電極１２−ｊに電圧を印加するとともに、センサスイッチ１４にスイッチ制御信号を、アクチュエータ１５に動作信号を、それぞれ供給する。さらに、制御装置１６は、センサ１３から圧力値を受信する。
【００５６】
図４は、図３の制御装置１６の構成例を示すブロック図である。
【００５７】
制御装置１６は、受信部２１、受信情報処理部２２、音声認識部２３、判定部２４、記憶部２５、電通処理部２６、検知部２７、およびアクチュエータ制御部２８から構成されている。
【００５８】
受信部２１は、アンテナ１７とケーブルで接続されている。アンテナ１７は、電波により送信されてくる放送信号を受信し、受信部２１に供給する。受信部２１は、アンテナ１７から供給された放送信号に、例えば、復調などの所定の処理を施し、受信情報処理部２２に供給する。
【００５９】
受信情報処理部２２には、受信部２１から放送信号が供給される他、判定部２４からトリガａが供給される。受信情報処理部２２は、判定部２４からのトリガａにしたがい、受信部２１から供給される放送信号から情報としての音声信号（オーディオデータ）を検出（取得）し、音声認識部２３に供給する。
【００６０】
音声認識部２３は、受信情報処理部２２から供給された音声信号について音声認識を行い、その音声認識結果としてのテキストを判定部２４に供給する。
【００６１】
判定部２４は、音声認識部２３から供給されたテキストから、泥棒などの人物に関する情報やその人物が出現した地域に関する情報などの危険に関する危険情報を、所定の特定情報として検出する処理を行う。さらに、判定部２４は、危険情報を検出した場合は、その危険情報に基づき、通電処理部２６およびアクチュエータ制御部２８に制御信号であるトリガｂを供給する。また、判定部２４は、受信情報処理部２２に制御信号であるトリガａを供給することにより、受信情報処理部２２を制御する。
【００６２】
記憶部２５は、ドアパネル４とドア枠１１−ｊとを圧着するときに、ドア枠１１−ｊがドアパネル４に加える適切な圧力値としての最適圧力値を記憶している。
【００６３】
通電処理部２６には、判定部２４からトリガｂが供給される他、検知部２７からセンサ１３が計測した圧力を示す計測圧力値が供給される。通電処理部２６は、判定部２４から供給されるトリガｂにしたがい、電極１２−ｊに電圧を印加する。また、通電処理部２６は、記憶部２５に記憶された最適圧力値と、検出部２７から供給される計測圧力値とを比較し、その比較結果に応じて、電極１２−ｊへの電圧の印加を停止する。
【００６４】
検知部２７は、センサ１３が計測する計測圧力値を処理し、通電処理部２６およびアクチュエータ制御部２８に供給する。
【００６５】
アクチュエータ制御部２８は、判定部２４から供給されるトリガｂにしたがい、動作信号を、アクチュエータ１５に供給するとともに、スイッチ制御信号を、センサスイッチ１４に供給する。さらに、アクチュエータ制御部２８は、記憶部２５に記憶された最適圧力値と、検知部２７から供給される計測圧力値とを比較し、その比較結果に応じて、アクチュエータ１５への動作信号の供給等を停止する。
【００６６】
ここで、記憶部２５、通電処理部２６、検知部２７、およびアクチュエータ制御部２８が、図３の家の設備としてのドアの状態を制御する制御部３０を構成している。
【００６７】
図５は、図４の音声認識部２３の構成例を示すブロック図である。
【００６８】
音声認識部２３は、デコーダ部４１、マッチング部４２、およびメモリ４３から構成されている。
【００６９】
デコーダ部４１は、受信情報処理部２２から供給された音声信号がエンコードされている場合に、そのエンコードされている音声信号をデコードし、デコードされた音声信号をマッチング部４２に供給する。
【００７０】
マッチング部４２は、メモリ４３に記憶されている音声認識辞書に登録されている語彙を、音声認識対象の語彙として、デコーダ部４１から供給される音声信号の音声認識を行い、その音声認識の結果を、テキストで、判定部２４に供給する。
【００７１】
メモリ４３は、音声認識辞書を記憶している。音声認識辞書には、多数の語彙が登録されている。
【００７２】
図６は、図４の判定部２４の構成例を示すブロック図である。
【００７３】
判定部２４は、メモリ５１、危険情報判定部５２、およびメモリ５３から構成されている。
【００７４】
メモリ５１は、音声認識部２３から供給されたテキストを一時記憶する。
【００７５】
危険情報判定部５２は、メモリ５３に記憶されている危険情報リスト（詳細は、図７において後述）に登録されている単語である危険情報を読み出す。さらに、危険情報判定部５２は、メモリ５１からテキストを読み出し、そのテキストから、名詞や状態、行動などを表す単語を抽出する。そして、危険情報判定部５２は、テキストから抽出した単語が危険情報に該当する（一致する）かどうかを判定する。危険情報判定部５２は、テキストから抽出された単語が危険情報に該当すると判定した場合、即ち、テキストから危険情報が検出された場合、電通処理部２６およびアクチュエータ制御部２８にトリガｂを供給する。一方、危険情報判定部５２は、テキストから抽出された単語が危険情報に該当しないと判定した場合、受信情報処理部２２にトリガａを供給する。
【００７６】
メモリ５３は、危険情報リストを記憶している。
【００７７】
図７を参照して、図６のメモリ５３に記憶されている危険情報リストについて説明する。
【００７８】
図６のメモリ５３は、例えば、図７の左上、左下、右上、右下に示す４つの危険情報リストを記憶している。
【００７９】
左上の図は、Ａ町、Ｂ町、Ｃ町などといった場所を表す名称が危険情報として登録されている危険情報リスト（以下、適宜、該当地域リストと称する）を示している。例えば、不法に家屋に侵入する侵入者といった危険な人物が出現した場合、その侵入者による危険が、ユーザの家にも及びうるかどうかは、例えば、侵入者が侵入した場所と、ユーザの家が存在する場所との位置関係に、大きく影響される。したがって、場所が登録されている該当地域リストは、危険がユーザの家の付近の地域に迫っているかどうかを判断する際に必要不可欠なリスト（ＭＵＳＴリスト）である。なお、該当地域リストに登録する危険情報としては、例えば、ユーザの家が建てられている町、即ち、ユーザが居住している町、ユーザが居住している隣町などといった、ユーザの家から距離的に近く、その地域で危険な人物が出現した場合、ユーザの家に危険が及ぶ可能性がある地域の名称が採用される。
【００８０】
左下の図は、例えば、侵入者、泥棒、容疑者などといった人物を表す名称が危険情報として登録されている危険情報リスト（以下、適宜、人物リストと称する）を示している。なお、人物リストに登録する危険情報である人物情報としては、例えば、家屋に不法に侵入する「侵入者」、他人の所有する所持品を盗む「泥棒」、法律に抵触する犯罪を犯した「容疑者」などといった、ユーザの家に危険が及ぶ可能性がある危険な人物の名称が採用される。
【００８１】
右上の図は、例えば、捜索中、逃走中、潜伏中などといった状況を表す名詞等が危険情報として登録されている危険情報リスト（以下、適宜、状況リストと称する）を示している。なお、状況リストに登録する危険情報としては、例えば、人物リストに登録された危険な人物が、警察により捜索されている状況を表す「捜索中」、逃走している状況を表す「逃走中」、姿を匿うために潜伏している状況を表す「潜伏中」などといった、ユーザの家に危険が及ぶ可能性がある状況を表す名詞等が採用される。
【００８２】
右下の図は、例えば、凶器、銃、ナイフなどといった所持品を表す名称が危険情報として登録されている危険情報リスト（以下、適宜、所持品リストと称する）を示している。なお、所持品リストに登録する危険情報としては、例えば、人物リストに登録された危険な人物が、第３者に危害を加えるための「凶器」、弾丸を発射する「銃」、包丁などの鋭利な刃物などの「ナイフ」などといった、ユーザに危険が及ぶ可能性がある所持品の名称が採用される。
【００８３】
なお、危険情報リストは、例えば、ユーザに作成してもらうことができる。また、危険情報リストのうちの該当地域リストは、例えば、ＧＰＳ（Global Positioning System）によってユーザの家の位置を認識し、その位置と周辺地域の地名を登録することにより作成することができる。さらに、他の危険情報リストは、あらかじめ作成して登録しておくことができる。
【００８４】
図８は、図４の制御装置１６の処理を説明するフローチャートである。図８の処理は、制御装置１６の電源がオンとされ、制御装置１６が稼動状態となると開始される。
【００８５】
ステップＳ１において、受信部２１は、アンテナ１７から供給される放送信号の受信を開始し、受信した放送信号に所定の処理を施して、受信情報処理部２２に供給する。なお、受信部２１においては、ある特定のチャンネルの放送信号だけを受信することもできるし複数のチャンネルの放送信号を時分割で受信することもできる。また受信部２１では、例えば、ＥＰＧ（Electronic Program Guide）を取得し、そのＥＰＧに基づき、ニュース番組の放送信号を受信することもできる。さらに、受信部２１では、複数のチューナによって、複数のチャンネルの放送信号を受信するようにすることもできる。
【００８６】
その後、ステップＳ２において、受信情報処理部２２は、受信部２１から供給された放送信号から音声信号を検出することにより取得し、音声認識部２３に供給して、ステップＳ３に進む。
【００８７】
ステップＳ３において、音声認識部２３は、受信情報処理部２２から供給された音声信号について音声認識を行い、その音声認識結果を、テキストで、判定部２４に供給して、ステップＳ４に進む。
【００８８】
ステップＳ４において、判定部２４は、音声認識部２３から供給されたテキストから危険情報を検出する危険情報検出処理を行って、ステップＳ５に進み、その処理結果に基づき、ユーザ（の家）に危険が及ぶ可能性である危険可能性の有無を判定する。
【００８９】
ステップＳ５において、危険可能性がないと判定された場合、判定部２４は、受信情報処理部２２にトリガａを供給して、ステップＳ２に戻る。ステップＳ２では、受信情報処理部２２は、判定部２４からのトリガａにしたがい、受信部２１から次に供給される放送信号から音声信号を検出し、以下同様の処理を繰り返す。
【００９０】
一方、ステップＳ５において、危険可能性があると判定された場合、判定部２４は、通電処理部２６およびアクチュエータ制御部２８にトリガｂを供給して、ステップＳ６に進む。
【００９１】
ステップＳ６において、通電処理部２６およびアクチュエータ制御部２８等は、判定部２４からトリガｂにしたがい、図３のドア枠１１−ｊの形状を変化させる形状変形処理を行い、処理を終了する。即ち、図４の制御装置１６は、危険可能性がある場合、形状変形処理を行い、これにより、後述するように、ドアパネル４とドア枠１１−ｊとを圧着させ、危険からユーザ（の家）を保護する。
【００９２】
図９は、図８のステップＳ４の危険情報検出処理、即ち、図６の判定部２４の処理を説明するフローチャートである。
【００９３】
音声認識部２３が出力する音声認識結果としてのテキストは、メモリ５１に供給され、メモリ５１は、そのテキストを一時記憶する。即ち、メモリ５１には、ある時間内に放送された番組の音声の音声認識結果のテキストが一時記憶される。
【００９４】
そして、ステップＳ１１において、危険情報判定部５２は、メモリ５１に記憶されたテキストから単語を抽出して、ステップＳ１２に進む。
【００９５】
ステップＳ１２において、危険情報判定部５２は、メモリ５３に記憶されている図７の危険情報リストを順次読み出して、ステップＳ１３に進む。
【００９６】
ステップＳ１３において、危険情報判定部５２は、ステップＳ１１においてテキストから抽出した単語のうちのいずれかが、ステップＳ１２で読み出した危険情報リストのうちの該当地域リストにリストアップされている危険情報（該当地域情報）に該当するかどうかを判定する。
【００９７】
ステップＳ１３において、テキストから抽出された単語のうちのいずれも、該当地域リストのいずれの危険情報にも該当（一致）しないと判定された場合、ステップＳ１６に進む。
【００９８】
一方、ステップＳ１３において、テキストから抽出された単語のうちのいずれかが、該当地域リストのいずれかの危険情報に該当すると判定された場合、ステップＳ１４に進み、危険情報判定部５２は、テキストから抽出された単語のうちのいずれかが、該当地域リストの他の危険情報リスト、即ち、図７の人物リスト、状況リスト、および所持品リストのうちのいずれかにリストアップされている危険情報に該当するかどうかを判定する。
【００９９】
ステップＳ１４において、テキストから抽出された単語のうちのいずれかが、他の危険情報リストにリストアップされているいずれかの危険情報に該当すると判定された場合、即ち、テキストに、該当地域リストにある単語と、他の危険情報リストにある単語の両方が含まれる場合、ステップＳ１５に進み、危険情報判定部５２は、危険可能性がある旨を認識して、リターンする。即ち、図８のステップＳ１において受信した放送信号の内容が、例えば、図７の地域情報リストにリストアップされている地域において、侵入者などの危険な人物として図７の人物リストにリストアップされている人物が出現したことを報道するものであった場合には、テキストに、該当地域リストの単語と、他の危険情報リストの単語の両方が含まれることとなり、これにより、危険情報判定部５２は、危険可能性があることを認識する。
【０１００】
一方、ステップＳ１４において、テキストから抽出された単語のいずれも、他の危険情報リストにリストアップされているいずれの危険情報にも該当しないと判定された場合、ステップＳ１６に進み、危険情報判定部５２は、危険可能性がない旨を認識して、リターンする。例えば、図８のステップＳ１において受信した放送の内容が、危険な人物の出現を報道するものでない場合や、危険な人物の出現を報道するものであっても、その危険な人物が遠く離れた地域に出現している場合には、テキストに、該当地域リストの単語と、他の危険情報リストの単語との両方が含まれることはないから、これにより、危険情報判定部５２は、危険可能性がないことを認識する。
【０１０１】
図１０は、図８のステップＳ６の形状変形処理を説明するフローチャートである。この形状変形処理は、図８で説明したように、危険可能性がある場合、即ち、ユーザ（の家）に危険が及びうる場合に、その危険を未然に回避するために行われる。
【０１０２】
ステップＳ２１において、電通処理部２６は、記憶部２５から最適圧力値を読み出して、ステップＳ２２へ進む。
【０１０３】
ステップＳ２２において、電通処理部２６は、電極１２−ｊに電流を流すことにより、形状可変部材であるドア枠１１−ｊに電流を流し、形状を変形させるための準備として、ドア枠１１−ｊを形状固定状態から形状可変状態にし、ステップＳ２３に進む。
【０１０４】
ステップＳ２３において、アクチュエータ制御部２８は、記憶部２５から最適圧力値を読み出し、さらに、センサスイッチ１４にスイッチ制御信号を供給して、ステップＳ２４に進む。これにより、センサスイッチ１４はオンし、センサ１３は、ドア枠１１−ｊから加えられる圧力の計測を開始する。
【０１０５】
ステップＳ２４において、アクチュエータ制御部２８は、さらに、アクチュエータ１５に動作信号の供給を開始して、ステップＳ２５に進む。
【０１０６】
ステップＳ２５において、アクチュエータ１５は、アクチュエータ制御部２８からの動作信号にしたがい、ドア枠１１−ｊに圧力を加えることを開始して、ステップＳ２６に進む。
【０１０７】
ステップＳ２６において、検知部２７は、センサ１３から供給される計測圧力値を、通電処理部２６およびアクチュエータ制御部２８に供給して、ステップＳ２７に進む。
【０１０８】
ここで、図１１を参照して、図３のドア枠１１−ｊに圧力が加えられている状態を説明する。
【０１０９】
図１１において、ドア枠１１−ｊには、図１０のステップＳ２２の処理により電流が流されているため、ドア枠１１−ｊは形状可変状態となっている。さらに、ドア枠１１−ｊには、アクチュエータ１５により圧力が加えられる。このように、形状可変状態で圧力を加えたられたドア枠１１−ｊは、隙間２の幅を減少させる方向、即ち、ドアパネル４を圧迫する方向に形状を変化させる。
【０１１０】
ドア枠１１−ｊが、ドアパネル４に接していないか、または、ドアパネル４に接しても、ドアパネル４に十分に圧着させる状態まで形状を変化させていない場合、センサ１３が計測する計測圧力値は、記憶部２５に記憶されている最適圧力値に到達しない。この場合、通電処理部２６は、電極１２−ｊ、ひいては、ドア枠１１−ｊに電流を流し続ける。さらに、アクチュエータ制御部２８は、アクチュエータ１５に動作信号を供給し続け、アクチュエータ１５は、引き続きドア枠１１−ｊに圧力を加え続ける。
【０１１１】
図１０に戻り、ステップＳ２７において、通電処理部２６およびアクチュエータ制御部２８は、検知部２７から供給された計測圧力値が最適圧力値に到達したかどうかを判定する。ステップＳ２７において、計測圧力値が最適圧力値に到達していないと判定された場合、ステップＳ２６に戻り、以下同様の処理を繰り返す。即ち、通電処理部２６は、ドア枠１１−ｊには、電流を流し続ける。さらに、アクチュエータ制御部２８は、アクチュエータ１５に動作信号を供給し続け、アクチュエータ１５は、引き続きドア枠１１−ｊに圧力を加え続ける。
【０１１２】
一方、ステップＳ２７において、計測圧力値が最適圧力値に到達したと判定された場合、ステップＳ２８に進み、電通処理部２６は、電極１２−ｊへの電流の供給を停止し、即ち、ドア枠１１−ｊへの電流の供給を停止して、ドア枠１１−ｊを、形状可変状態から形状固定状態にして、ステップＳ２９に進む。
【０１１３】
ステップＳ２９において、アクチュエータ制御部２８は、センサスイッチ１４に、スイッチ制御信号を供給し、センサスイッチ１４をオフにして、ステップＳ３０に進む。
【０１１４】
ステップＳ３０において、アクチュエータ制御部２８は、さらに、アクチュエータ１５に供給している動作信号の供給を停止し、これにより、アクチュエータ１５が、ドア枠１１−ｊに圧力を加えることを停止し、リターンする。
【０１１５】
以上のようにして、ドアパネル４とドア枠１１−ｊとは圧着状態とされる。
【０１１６】
図１２を参照して、ドア枠１１−ｊがドアパネル４に圧着している状態を説明する。
【０１１７】
図１２において、センサ１３が計測した計測圧力値は、記憶部２５に記憶されている最適圧力値に到達している。この場合、ドア枠１１−ｊへの電流の供給は、図１０のステップＳ２８において停止され、ドア枠１１−ｊは形状可変状態から形状固定状態となる。さらに、ドア枠１１−ｊに圧力を加えることが、図１０のステップＳ３０において停止される。これにより、ドア枠１１−ｊは、ドアパネル４を十分に圧着させる状態まで形状を変化させ、隙間２がなくなってしまった状態で形状固定状態になる。
【０１１８】
したがって、図１２において、ドアノブ５の図示せぬロック機構が、鍵のかかってない状態となっていたり、何者かにより破壊されたとしても、ドア枠１１−ｊとドアパネル４とが十分に圧着した状態となっているため、ドアパネル４を開閉することができなくなり、不審者等が、家の中に侵入することを防止することができる。
【０１１９】
図１３は、図４の判定部２４の他の構成例を示すブロック図である。
【０１２０】
図１３の判定部２４は、メモリ５１、危険情報判定部５２、メモリ５３、および危険度判定部６１から構成されている。図１３において、メモリ５１、危険情報判定部５２、およびメモリ５３は、図６における場合と同様の構成となっており、その説明は、適宜、省略する。但し、メモリ５３には、危険情報の重要度としての危険度を伴った危険情報がリストアップされている危険情報リストが記憶されている。また、危険情報判定部５２は、図６で説明した場合と同様に、テキストから、メモリ５３に記憶されている危険情報リストに登録された危険情報を検出し、危険可能性の有無を判定するが、さらに、その判定結果を、危険度判定部６１に供給するとともに、テキストから検出した危険情報を、危険度判定部６１に供給するようになっている。
【０１２１】
危険度判定部６１は、危険情報判定部５２から危険可能性ありの情報を受信した場合、メモリ５３に記憶されている危険情報リストを参照して、危険の高低を判定する。即ち、危険度判定部６１は、危険情報判定部５２から危険可能性ありの情報とともに供給される危険情報の危険度を、メモリ５３に記憶されている危険情報リストから認識し、その危険度に応じて、危険可能性の高低を判定する。そして、危険度判定部６１は、危険可能性が高いと判定した場合、図６の危険情報判定部５２と同様に、電通処理部２６およびアクチュエータ制御部２８にトリガｂを供給する。一方、危険度判定部６１は、危険可能性が低いと判定した場合、図６の危険情報判定部５２と同様に、受信情報処理部２２にトリガａを供給する。
【０１２２】
図１４は、図１３のメモリ５３に記憶されている危険情報リストを示している。なお、図１４において、危険情報リストにリストアップされている危険情報は、図７に示したものと同一である。
【０１２３】
但し、図１４の危険情報リストには、そこに登録されている危険情報としての単語に、その単語がテキストに含まれていた場合の危険の度合いを表す危険度が対応付けられている。なお、ここでは、危険度を表す値が小さいほど、危険の度合いが高いものとする。
【０１２４】
いま、ユーザの家がＡ町にあり、その隣町がＢ町とＣ町であるとする。さらに、Ｂ町は、ユーザの家から近いが、Ｃ町は、ユーザの家から遠いものとする。
【０１２５】
この場合、Ｃ町で事件が起きたときよりも、Ｂ町で事件が起きたときの方が、ユーザ（の家）に危険が及ぶ可能性が高い。また、Ｂ町で事件が起きたときよりも、Ａ町で事件が起きたときの方が、ユーザ（の家）に危険が及ぶ可能性が高い。
【０１２６】
このため、図１４では、危険情報リストである該当地域リストにおいて、危険情報「Ａ町」の危険度は、危険の度合いが最も高いことを表す「１」になっている。また、危険情報「Ｂ町」の危険度は、危険の度合いが次に高いことを表す「２」になっている。そして、危険情報「Ｃ町」の危険度は、危険の度合いが、危険情報「Ｂ町」よりも１段階低い「３」になっている。
【０１２７】
該当地域リストの他の危険情報リスト（人物リスト、状況リスト、所持品リスト）に登録された危険情報についても、同様にして、危険度が対応付けられている。
【０１２８】
なお、危険情報リストのうちの該当地域リストにおける危険度は、例えば、ＧＰＳにより、ユーザの家の位置を認識し、該当地域リストに登録された地名の位置と、ユーザの家の位置との距離に応じて決定して登録することができる。また、他の危険情報リストの危険度は、例えば、あらかじめ登録しておくことができる。
【０１２９】
図１５は、図４の判定部２４が図１３に示したように構成される場合における制御装置１６の処理を説明するフローチャートである。
【０１３０】
なお、図１５の処理は、図８における場合と同様に、制御装置１６の電源がオンとされ、制御装置１６が稼動状態となると開始される。また、図１５のステップＳ４１乃至ステップＳ４５のそれぞれの処理は、図８のステップＳ１乃至ステップＳ５の処理と同様であるため、その説明は省略する。
【０１３１】
但し、ステップＳ４５において、危険情報判定部５２は、危険可能性があると判定した場合、その危険可能性ありの情報とともに、図８のステップＳ４に対応するステップＳ４４の危険情報検出処理で得られる、テキストに含まれていた危険情報を、危険度判定部６１に供給して、ステップＳ４６に進む。
【０１３２】
ステップＳ４６では、危険度判定部６１は、危険情報判定部５２からの危険情報の危険度を、メモリ５３に記憶された危険情報リストを参照することにより認識し、その危険度に基づいて、ユーザ（の家）の危険可能性の高低を判定する。
【０１３３】
ここで、ステップＳ４６においては、例えば、危険情報判定部５２からの危険情報の危険度の平均値の大小によって、危険可能性の高低を判定することができる。また、ステップＳ４６では、例えば、危険情報判定部５２からの危険情報の危険度うちの、値が最も小さいものの大小によって、危険可能性の高低を判定することも可能である。
【０１３４】
ステップＳ４６において、危険度可能性が高くないと判定された場合、ステップＳ４２に戻り、以下、同様の処理を繰り返す。一方、ステップＳ４６において、危険可能性が高いと判定された場合、ステップＳ４７に進み、図８のステップＳ６における場合と同様の、形状変形処理が行われ、処理を終了する。なお、ステップＳ４７の形状変形処理は、図１０で説明したものと同様であるので、その説明は省略する。
【０１３５】
以上のように、図３の家では、危険可能性があるとき、あるいは、その危険可能性が高いときに、隙間２の周辺に配置されたドア枠１１−ｊの形状を変形させ、ドア枠１１−ｊとドアパネル４とを十分に圧着した状態とするようにしたので、家から出入りするためドアを、たとえ鍵を壊しても開かないようにし、ユーザ（の家）の安全を確保することがきできる。
【０１３６】
なお、上述の場合には、家のドアを開かないように、圧着状態とするようにしたが、その他、例えば窓、その他の家への出入口となる任意の設備をも圧着状態にして、開かないようにすることが可能である。
【０１３７】
図１６は、本発明を適用した家の第２実施の形態の構成例を示す図である。
【０１３８】
家７１は、アンテナ７２、制御装置７３、アクチュエータ７４−１乃至アクチュエータ７４−６、部屋７５乃至部屋７８、配電盤７９−１および配電盤７９−２、並びに配電ケーブル８０−１および配電ケーブル８０−２などから構成されている。さらに、図１６では、部屋７５にはアイロン８１が、部屋７６には電気ストーブ８２が、部屋７７には冷蔵庫８３が、および部屋７８にはＰＣ（Personal Computer）８４が、それぞれ配置されている。
【０１３９】
アンテナ７２は、制御装置７３と接続されている。アンテナ７２は、屋外に配置されており、電波により送信されてくる放送信号を受信し、制御装置７３に供給する。
【０１４０】
制御装置７３は、アンテナ７２から供給される放送信号から、所定の特定情報としての危険情報を検出し、その危険情報に基づいて、アクチュエータ７４−１乃至アクチュエータ７４−６を制御し、これにより、家７１に設置されたコンセントへの電力供給の状態を制御する。なお、図示を省略してあるが、制御装置１６は、アクチュエータ７４−１以外のアクチュエータ７４−２乃至アクチュエータ７４−６それぞれとも接続されている。
【０１４１】
アクチュエータ７４−１乃至アクチュエータ７４−６は、制御装置７３の制御にしたがい配電盤７９−１または配電盤７９−２から配電ケーブル８０−１または配電ケーブル８０−２を介して、部屋７５乃至部屋７８それぞれに設置された図示せぬコンセントに供給される電力の供給を制御する。即ち、アクチュエータ７４−１乃至アクチュエータ７４−６は、例えば、配電ケーブル８０−１または配電ケーブル８０−２に設けられた図示せぬスイッチを駆動することにより、コンセントへの電力供給を制御する。
【０１４２】
部屋７５は家７１の２階の図中左側の部屋である。部屋７６は家７１の２階の図中右側の部屋である。部屋７７は家７１の１階の図中左側の部屋である。部屋７８は家７１の１階の図中右側の部屋である。図１６においては、部屋７５にはアイロン８１が、部屋７６には電気ストーブ８２が、部屋７７には冷蔵庫８３が、部屋７７には冷蔵庫８３が、部屋７８にはＰＣ８４が、それぞれ配置されている。なお、部屋７５乃至部屋７８には、その他の電子機器を配置することができる。
【０１４３】
配電盤７９−１と配電盤７９−２は、配電ケーブル８０−１と配電ケーブル８０−２をそれぞれ介して、部屋７５乃至部屋７８のコンセントに、電力を供給する。
【０１４４】
配電ケーブル８０−１と配電ケーブル８０−２は、配電盤７９−１と配電盤７９−２を、部屋７５乃至部屋７８のコンセントに接続している。
【０１４５】
アイロン８１、電気ストーブ８２、冷蔵庫８３、ＰＣ８４は、そのプラグを、部屋７５乃至部屋７８のコンセントに差し込むことにより、電力の供給を受けて動作する。なお、アイロン８１、電気ストーブ８２、冷蔵庫８３、ＰＣ８４のプラグは、その電子機器を識別する識別情報を、無線タグで送信する機能を有している。
【０１４６】
図１７は、図１６の制御装置７３の構成例を示すブロック図である。
【０１４７】
制御装置７３は、受信部９１、受信情報処理部９２、音声認識部９３、判定部９４、検知部９５、アンテナ９６、および電力制御部９７から構成されている。なお、受信部９１、受信情報処理部９２、音声認識部９３、および判定部９４は、図４の受信部２１、受信情報処理部２２、音声認識部２３、および判定部２４にそれぞれ対応し、図４の受信部２１、受信情報処理部２２、音声認識部２３、および判定部２４と基本的に同様の処理を行う。
【０１４８】
検知部９５は、アンテナ９６で受信された、アイロン８１、電気ストーブ８２、冷蔵庫８３、ＰＣ８４、その他の図示せぬ電子機器から送信されてくる無線タグから、部屋７５乃至部屋７８のコンセントに接続された電子機器の種類とその電子機器が接続されているコンセントとを特定する。さらに、検知部９５は、部屋７５乃至部屋７８のコンセントに接続された電子機器への電力供給をオフにする順番をリストアップした電源オフ優先順位リストを生成し、電力制御部９７に供給する。
【０１４９】
アンテナ９６は、例えば、無指向性のアンテナで、例えば、アイロン８１などの、部屋７５乃至部屋７８のコンセントに接続されている電子機器から送信されてくる無線タグを受信し、検知部９５に供給する。
【０１５０】
電力制御部９７は、判定部９４が危険可能性があることを認識してトリガｂを出力すると、検知部９５から電源オフ優先順位リストを取得し、その電源オフ優先順位リストに基づき、アクチュエータ７４−ｋを制御する。これにより、電力制御部９７は、部屋７５乃至部屋７８のコンセント、ひいては、そのコンセントに接続されている電子機器への電力供給を遮断する。
【０１５１】
図１８は、図１７の判定部９４の構成例を示すブロック図である。
【０１５２】
図１８の判定部９４は、メモリ１０１、危険情報判定部１０２、およびメモリ１０３から構成されている。なお、図１８のメモリ１０１、危険情報判定部１０２、およびメモリ１０３は、図６のメモリ５１、危険情報判定部５２、およびメモリ５３にそれぞれ対応し、それらと同様の処理を行う。
【０１５３】
但し、メモリ１０３は、図６のメモリ５３が記憶している危険情報リストと異なる危険情報リストを記憶している。
【０１５４】
図１９は、図１８のメモリ１０３に記憶されている危険情報リストの例を示している。
【０１５５】
図１８のメモリ１０３は、例えば、図１９の左と右に示す２つの危険情報リストを記憶している。
【０１５６】
左の図は、北海道地方、東北地方、関東地方などといった場所を表す名称が危険情報として登録されている危険情報リスト（これも、以下、適宜、該当地域リストと称する）を示している。例えば、洪水や浸水などといった災害をもたらす現象が発生した場合、洪水や浸水などといった災害をもたらす現象による危険が、ユーザの家にも及びうるかどうかは、例えば、洪水や浸水などといった災害をもたらす現象が発生した場所と、ユーザの家が存在する場所との位置関係に、大きく影響される。したがって、場所が登録されている該当地域リストは、危険がユーザの家の付近の地域に迫っているかどうかを判断する際に必要不可欠なリスト（ＭＵＳＴリスト）である。なお、該当地域リストに登録する危険情報である該当地域情報としては、例えば、ユーザの家が建てられている地域、即ち、ユーザが居住している地域、ユーザが居住している地域に隣接した地域などといった、ユーザの家から距離的に近く、その地域で危険な洪水や浸水などといった災害をもたらす現象が発生した場合、ユーザの家に危険が及ぶ可能性がある地域の名称が採用される。
【０１５７】
右の図は、例えば、洪水、大雨、台風などといった危険な現象を表す名称としてのキーワードが危険情報として登録されている危険情報リスト（以下、適宜、キーワードリストと称する）を示している。なお、キーワードリストに登録する危険情報である危険な現象を表す名称としてのキーワードとしては、例えば、浸水などの被害を発生しうる「洪水」、雨漏りや洪水さらには地盤沈下などを発生させうる「大雨」、暴雨などを伴う「台風」などといった、ユーザの家に危険が及ぶ可能性がある危険な現象の名称が採用される。
【０１５８】
なお、図１９の危険情報リストの作成方法等としては、図７の危険情報リストにおける場合と同様の方法を採用することができる。
【０１５９】
図２０は、図１７の検知部９５の構成例を示すブロック図である。
【０１６０】
検知部９５は、受信部１１１、ＩＤ（IDentification）取得部１１２、情報特定部１１３、優先リスト作成部１１４、および情報記憶部１１５から構成されている。
【０１６１】
受信部１１１は、アンテナ９６から供給される、部屋７５乃至部屋７８のコンセントに接続されたアイロン８１などの電子機器のプラグ（詳細は、図２２において後述）から送信されてくる無線タグを受信し、ＩＤ取得部１１２に供給する。なお、電子機器のプラグは、コンセントに接続されている（差し込まれている）場合のみ、そのコンセントから電力の供給を受けて、無線タグを送信する。また、電子機器が送信する無線タグには、その電子機器に特有なＩＤと、その電子機器が接続されているコンセントを特定することができる情報であるコンセント情報が含まれている。
【０１６２】
ＩＤ取得部１１２は、受信部１１１から供給された無線タグから、電子機器のＩＤと、その電子機器が接続されているコンセントのコンセント情報とを認識することにより取得して、そのＩＤとコンセント情報のセットを情報特定部１１３に供給する。
【０１６３】
情報特定部１１３は、ＩＤ取得部１１２から供給される電子機器のＩＤとコンセント情報のセットから、そのＩＤで識別される電子機器（の種類）と、その電子機器が接続されているコンセントのコンセント情報とを対応付けた接続電子機器リスト（電子機器とそれが接続されているコンセントとの対応関係）を作成することにより取得し、優先リスト作成部１１４に供給する。
【０１６４】
優先リスト作成部１１４は、情報記憶部１１５から電力の供給を遮断する電子機器の優先順位を記憶している電子機器電源オフ優先順位リストを読み出す。さらに、優先リスト作成部１１４は、情報記憶部１１５から読み出した電子機器電源オフ優先順位リストにリストアップされた優先順位に基づいて、情報特定部１１３から供給される接続電子機器リストにリストアップされた電子機器を、その電源をオフする順番に並べた接続電子機器オフ順位リストを作成して、電力制御部９７へ供給する。
【０１６５】
情報記憶部１１５は、電子機器電源オフ優先順位リストを記憶している。
【０１６６】
図２１は、家７１の部屋７５乃至部屋７８に設置されているコンセント１２１−１乃至コンセント１２１−４を示している。
【０１６７】
図２１では、例えば、アクチュエータ７４−１が、コンセント１２１−１への電力の供給を制御するようになっている。
【０１６８】
そして、制御装置７３は、部屋７５に設置されているコンセント１２１−１への電力供給を制御するのが、アクチュエータ７４−１であることを認識している。同様に、制御装置７３は、他のコンセント１２１−２乃至コンセント１２１−４についても、その電力供給を制御するアクチュエータを認識している。そして、制御装置７３は、例えば、コンセント１２１−１への電力供給を遮断すべき場合、アクチュエータ７４−１を制御して、コンセント１２１−１への電力供給を遮断させる。
【０１６９】
図２２は、アイロン８１、電気ストーブ８２、冷蔵庫８３、ＰＣ８４などの電子機器のプラグの構成例を示すブロック図である。
【０１７０】
プラグ１３１は、ＩＤ記憶部１３２、送信部１３３、およびアンテナ１３４から構成されている。
【０１７１】
ＩＤ記憶部１３２は、電子機器を特定することができる、その電子機器に特有なＩＤを記憶している。なお、ＩＤ記憶部１３２に記憶されているＩＤの一部は、例えば、その電子機器の種類ごとにユニークなものとなっている。従って、このＩＤによれば、電子機器自体を識別することができる他、その電子機器の種類も識別（特定）することができる。
【０１７２】
送信部１３３は、プラグ１３１がコンセント１２１−ｍ（ここでは、ｍ＝１，２，３，４）に接続されている場合に、そのコンセント１２１−ｍから電力の供給を受けて動作を開始し、ＩＤ記憶部１３２からＩＤを読み出す。また、送信部１３３は、プラグ１３１が接続されたコンセント１２１−ｍから、そのコンセント１２１−ｍを特定するコンセント情報を取得する。即ち、コンセント１２１−ｍは、自身を特定するコンセント情報を記憶している。コンセント１２１−ｍは、そこにプラグ１３１が接続されると、自身のコンセント情報を、プラグ１３１に出力し、送信部１３３は、このようにしてコンセント１２１−ｍから供給されるコンセント情報を取得する。さらに、送信部１３３は、ＩＤ記憶部１３２からのＩＤと、コンセント１２１−ｍから取得したコンセント情報とのセットを、無線タグとして、電波によりアンテナ１３４から送信する。
【０１７３】
ここで、コンセント情報としては、コンセント１２１−ｍを識別することができるＩＤその他の任意の情報を採用することが可能である。例えば、コンセント１２１−ｍにＩＰ（Internet Protocol）アドレスが割り当てられている場合には、そのＩＰアドレスを、コンセント情報として用いることが可能である。
【０１７４】
図２３は、図２０の情報特定部１１３が作成する接続電子機器リストの例を示している。
【０１７５】
図２３の接続電子機器リストには、コンセント１２１−１に、電子機器としてのアイロン８１および図示せぬ電気ポットが接続されていることが示されている。同様に、コンセント１２１−２には電気ストーブ８２が、コンセント１２１−３には冷蔵庫８３および図示せぬ電子レンジが、コンセント１２１−４にはＰＣ８４が、それぞれ接続されていることが示されている。即ち、図１７の検知部９５は、図２２の電子機器のプラグ１３１がコンセント１２１−ｍに接続されている場合に、プラグ１３１から無線タグとして送信される電子機器に特有なＩＤと、その電子機器が接続されているコンセント１２１−ｍのコンセント情報とを受信し、そのＩＤとコンセント情報とを対応付けることにより、図２３の接続電子機器リストを作成する。
【０１７６】
図２４は、図２０の情報記憶部１１５が記憶している電子機器電源オフ優先順位リストの例を示している。
【０１７７】
図２４の電子機器電源オフ優先順位リストには、電子機器と、危険可能性があるときに、その電子機器への電力供給を遮断すべき優先順位とが対応付けられている。図２４では、アイロンの優先順位は１に、電気ストーブの優先順位は２に、電気コンロの優先順位は３に、電気ポットの優先順位は４に、冷蔵庫の優先順位は５に、それぞれなっている。
【０１７８】
図２４において、電子機器と優先順位とのセットは、優先順位順に並べられている。
【０１７９】
なお、アイロンや電気ストーブなど熱を発生する電子機器は、家７１の存在する地域に災害が発生するなどの危険が生じた場合には、２次災害としての火災を回避するため（あるいは、電子機器の故障を防ぐため）、優先的に、かつ時間的に早く電源がオフされることが望ましい。このため、図２４の電子機器電源オフ優先順位リストでは、アイロンや電気ストーブなど熱を発生する電子機器の優先順位が高い順位に設定されている。
【０１８０】
一方、インターネットで災害の現況を検索するなど、情報を取得するための手段として必要なＰＣは、災害が発生した場合でも使用することができることが望ましい。また、家７１の部屋７５乃至部屋７８に明かりを灯す照明なども、災害が発生して、家７１から避難しなければならないような場合には、避難が完了するまで使用することができることが望ましい。このため、電子機器電源オフ優先順位リストでは、ＰＣや照明などの電子機器の優先順位は低い順位に設定される。なお、図２４の電子機器電源オフ優先順位リストにおいては、アイロンや電気ストーブなどの熱を発生する電子機器は早く電源がオフされるように、また、ＰＣや照明などは必要に応じて所定の時間使用することができるように、それぞれの電子機器に対して、危険可能性があることが認識されてから電源をオフにするまでの時間を対応付けて登録することができる。
【０１８１】
図２５は、電子機器電源オフ優先順位リストの他の例を示している。
【０１８２】
図２５の電子機器電源オフ優先順位リストは、優先順位の降順に電子機器が並んでいる他は、図２４における場合と同様なので、その説明を省略する。
【０１８３】
図２６は、優先リスト作成部１１４が作成する接続電子機器オフ順位リストを示している。
【０１８４】
優先リスト作成部１１４は、情報特定部１１３から供給される図２３の接続電子機器リストに登録されている電子機器（のＩＤ）を、その電子機器に対応付けられているコンセント情報とともに、図２４の電子機器電源オフ優先順位リストに登録されている優先順位の順番に並べ替えることにより、図２６の接続電子機器オフ順位リストを作成する。
【０１８５】
なお、図２６の接続電子機器オフ順位リストには、電子機器（のＩＤ）とコンセント情報のセットの他に、電子機器への電力供給を遮断すべき優先順位である電力オフ順位も、便宜的に示してある。図２６では、アイロンの電力オフ順位が１に、電気ストーブの電力オフ順位が２に、電気ポットの電力オフ順位が３に、冷蔵庫の電力オフ順位が４に、照明の電力オフ順位がＮ−１に、ＰＣの電力オフ順位がＮに、それぞれなっている。
【０１８６】
図２７は、図２０の検知部９５の処理（検知処理）を説明するフローチャートである。
【０１８７】
ステップＳ５１において、受信部１１１は、アンテナ９６から供給されるコンセント１２１−ｍに接続された電子機器のプラグ１３１から送信されてくる無線タグの受信を開始する。そして、受信部１１１は、受信した無線タグに所定の処理を施して、ＩＤ取得部１１２に供給し、ステップＳ５１からステップＳ５２に進む。
【０１８８】
ステップＳ５２において、ＩＤ取得部１１２は、受信部１１１から供給される無線タグから電子機器のＩＤを取得し、無線タグとともに、情報特定部１１３に供給して、ステップＳ５３に進む。
【０１８９】
ステップＳ５３において、情報特定部１１３は、ＩＤ取得部１１２から供給された電子機器のＩＤから、その電子機器を特定して、ステップＳ５４に進む。
【０１９０】
ステップＳ５４において、情報特定部１１３は、さらに、ステップＳ５１において受信部１１１が受信した無線タグから、その電子機器が接続されているコンセントのコンセント情報を取得し、ステップＳ５５に進む。
【０１９１】
ステップＳ５５において、情報特定部１１３は、ステップＳ５３で特定した電子機器と、その特定した電子機器とが接続されているコンセントのコンセント情報とを対応付けることにより図２３で説明した接続電子機器リストを作成し、優先リスト作成部１１４に供給して、ステップＳ５６に進む。
【０１９２】
ステップＳ５６において、優先リスト作成部１１４は、情報記憶部１１５から電源オフ優先順位リストを読み出すことにより取得し、ステップＳ５７に進む。
【０１９３】
ステップＳ５７において、優先リスト作成部１１４は、ステップＳ５６において情報記憶部１１５から取得した電子機器電源オフ優先順位リストに基づき、ステップＳ５５において情報特定部１１３から供給された接続電子機器リストにリストアップされている電子機器を、電源をオフする順番に並べ替えることにより図２６の接続電子機器オフ順位リストを作成して、ステップＳ５８に進む。
【０１９４】
ステップＳ５８において、優先リスト作成部１１４は、作成した接続電子機器オフ順位リストを電力制御部９７に供給して、処理を終了する。なお、ステップＳ５３とステップＳ５４の処理は、時系列に処理されてもよいし、並列して処理されてもよい。また、図２７において、作成した接続電子機器オフ順位リストを電力制御部９７に送信するステップＳ５８の処理は、例えば、電力制御部９７から優先リスト作成部１１４に対して、接続電子機器オフ順位リストの要求があったときに行うことができる。
【０１９５】
図２８は、図１７の制御装置７３の処理を説明するフローチャートである。なお、図２８の処理は、制御装置７３の電源がオンとされ、制御装置７３が稼動状態となると開始される。
【０１９６】
ステップＳ６１乃至ステップＳ６５では、図８のステップＳ１乃至ステップＳ５とそれぞれ同様の処理が行われる。但し、ステップＳ６４において、図１７の判定部９４が行う危険情報検出処理においては、図７の危険情報リストに登録された、例えば、侵入者や泥棒などの危険情報ではなく、図１９の危険情報リストに登録された、例えば、洪水や大雨などの危険情報が検出される。そして、判定部９４は、その危険情報の検出結果に基づき、危険可能性の有無を認識し、ステップＳ６４からステップＳ６５に進む。
【０１９７】
そして、ステップＳ６５において、危険可能性があると判定された場合には、判定部９４は、トリガｂを電力制御部９７に供給して、ステップＳ６６に進む。
【０１９８】
ステップＳ６６において、電力制御部９７は、判定部９４からトリガｂが供給されると、例えば、検知部９５に対して、接続電子機器オフ順位リストを要求する。検知部９５は、電力制御部９７からの要求に応じて、図２７で説明した検知処理を行い、これにより、図２６の接続電子機器オフ順位リストを作成して、電力制御部９７に供給し、ステップＳ６６からステップＳ６７に進む。
【０１９９】
ステップＳ６７において、電力制御部９７は、検知部９５から供給された接続電子機器オフ順位リストに基づき、電力制御信号をアクチュエータ７９−ｋに供給して、接続電子機器オフ順位リストの順番に電子機器の電源をオフするように電力の供給を制御する電力制御処理を行い、処理を終了する。
【０２００】
なお、ステップＳ６６の検知処理は、ステップＳ６５において危険可能性があると判定された直後に行うのではなく、定期的または不定期に行い、ステップＳ６７の処理は、最新の検知処理によって得られた接続電子機器オフ順位リストを用いて行うことができる。
【０２０１】
図２９は、図２８のステップＳ６７の電力制御処理を説明するフローチャートである。
【０２０２】
ステップＳ７１において、電力制御部９７は、検知部９５から供給される接続電子機器オフ順位リストを受信することにより取得し、ステップＳ７２に進む。
【０２０３】
ステップＳ７２において、電力制御部９７は、電力オフ順位を表す変数♯ｉを１に初期化し、ステップＳ７３に進む。
【０２０４】
ステップＳ７３において、電力制御部９７は、検知部９５から取得した接続電子機器オフ順位リストの電力オフ順位が♯ｉの電子機器が接続されているコンセント１２１−ｍに対して電力供給の制御をしているアクチュエータ７４−ｋに電力制御信号を供給し、これにより、その電子機器（に接続されているコンセント１２１−ｍ）への電力の供給を遮断してステップＳ７４に進む。
【０２０５】
ここで、電力制御信号には、電力の供給を遮断するまでの、いわば猶予時間を含ませることができる。この場合、アクチュエータ７４−ｋでは、電力制御信号を受信してから、その電力制御信号に含まれる猶予時間だけ経過した後に、コンセント１２１−ｍへの電力供給を遮断することができる。
【０２０６】
ステップＳ７４において、電力制御部９７は、変数♯ｉが、接続電子機器オフ順位リストにリストアップされている電子機器の中で優先順位が一番低い電子機器の順位Ｎと等しいかどうか、即ち、接続電子機器オフ順位リストにリストアップされた電子機器に接続されているコンセントすべてへの電力供給が遮断されたかどうかを判定する。ステップＳ７４において、変数♯ｉが、優先順位が一番低い電子機器の順位Ｎと等しくない、即ち、電源がオフにされていない電子機器が残されている場合、ステップＳ７５に進み、電力制御部９７は、変数♯ｉを１だけインクリメントして、ステップＳ７３に戻り、以下同様の処理を繰り返す。
【０２０７】
一方、ステップＳ７４において、変数♯ｉが、優先順位が一番低い電子機器の順位Ｎと等しい、即ち、電源がオフにされていない電子機器が残されていない場合、リターンする。
【０２０８】
図３０は、図１７の判定部９４の他の構成例を示すブロック図である。
【０２０９】
図３０の判定部９４は、メモリ１０１、危険情報判定部１０２、メモリ１０３、および危険度判定部１４１から構成されている。図３０のメモリ１０１、危険情報判定部１０２、メモリ１０３は、図１８における場合と同様の構成となっており、その説明は、適宜、省略する。但し、メモリ１０３には、危険情報の重要度としての危険度を伴った危険情報がリストアップされている危険情報リストが記憶されている。また、危険情報判定部１０２は、図１８で説明した場合と同様に、テキストから、メモリ１０３に記憶されている危険情報リストに登録された危険情報を検出し、危険可能性の有無を判定するが、さらに、その判定結果を、危険度判定部１４１に供給するとともに、テキストから検出した危険情報を、危険度判定部１４１に供給するようになっている。
【０２１０】
危険度判定部１４１は、危険情報判定部１０２から危険可能性ありの情報を受信した場合、メモリ１０３に記憶されている危険情報リストを参照して、危険の高低を判定する。即ち、危険度判定部１４１は、危険情報判定部１０２から危険可能性ありの情報とともに供給される危険情報の危険度を、メモリ１０３に記憶されている危険情報リストから認識し、その危険度に応じて、危険可能性の高低を判定する。そして、危険度判定部１４１は、危険可能性が高いと判定した場合、図１８の危険情報判定部１０２と同様に、電通処理部２６およびアクチュエータ制御部２８にトリガｂを供給する。一方、危険度判定部１４１は、危険可能性が低いと判定した場合、図１８の危険情報判定部１０２と同様に、受信情報処理部２２にトリガａを供給する。
【０２１１】
図３１は、図３０のメモリ１０３に記憶されている危険情報リストの例を示している。
【０２１２】
図３０のメモリ１０３は、例えば、図１９に示したものと同様の２つの危険情報リストを記憶している。
【０２１３】
但し、図３１の危険情報リストには、そこに登録されている危険情報としての単語に、その単語がテキストに含まれていた場合の危険の度合いを表す危険度が対応付けられている。なお、ここでも、図１４における場合と同様に、危険度を表す値が小さいほど、危険の度合いが高いものとする。
【０２１４】
いま、ユーザの家が北海道地方にあるとした場合、関東地方で危険な現象が起きたときよりも、東北地方で危険な現象が起きたときの方が、ユーザ（の家）に危険が及ぶ可能性が高い。また、東北地方で危険な現象が起きたときよりも、北海道地方で危険な現象が起きたときの方が、ユーザ（の家）に危険が及ぶ可能性が高い。
【０２１５】
このため、図３１では、危険情報リストである該当地域リストにおいて、危険情報「北海道地方」の危険度は、危険の度合いが最も高いことを表す「１」になっている。また、危険情報「東北地方」の危険度は、危険の度合いが次に高いことを表す「２」になっている。そして、危険情報「関東地方」の危険度は、危険の度合いが、危険情報「東北地方」よりも１段階低い「３」になっている。
【０２１６】
該当地域リストの他の危険情報リスト（キーワードリスト）に登録された危険情報についても、同様にして、危険度が対応付けられている。
【０２１７】
図３２は、図１７の判定部９４が図３０に示したように構成される場合における制御装置７３の処理を説明するフローチャートである。
【０２１８】
なお、図３２の処理は、図２８における場合と同様に、制御装置７３の電源がオンとされ、制御装置７３が稼動状態となると開始される。また、図３２のステップＳ８１乃至ステップＳ８５のそれぞれの処理は、図２８のステップＳ６１乃至ステップＳ６５の処理と同様であるため、その説明は省略する。
【０２１９】
但し、ステップＳ８５において、危険情報判定部５２は、危険可能性があると判定した場合、その危険可能性ありの情報とともに、図２８のステップＳ６４に対応するステップＳ８４の危険情報検出処理で得られる、テキストに含まれていた危険情報を、危険度判定部１４１に供給して、ステップＳ８６に進む。
【０２２０】
ステップＳ８６では、危険度判定部１４１は、危険情報判定部５２からの危険情報の危険度を、メモリ１０３に記憶された危険情報リストを参照することにより認識し、その危険度に基づいて、ユーザ（の家）の危険可能性の高低を判定する。
【０２２１】
ここで、ステップＳ８６においては、例えば、図１５のステップＳ４６で説明した場合と同様にして、危険可能性の高低を判定することができる。
【０２２２】
ステップＳ８６において、危険度可能性が高くないと判定された場合、ステップＳ８２に戻り、以下、同様の処理を繰り返す。一方、ステップＳ８６において、危険可能性が高いと判定された場合、ステップＳ８７、ステップＳ８８に順次進み、図２８のステップＳ６６、ステップＳ６７における場合とそれぞれ同様の検知処理、電力制御処理が行われる。
【０２２３】
以上のように、図１６の家７１においては、浸水や洪水等の災害を知らせる情報を受信した場合に、ユーザ（の家７１）に危険が及ぶ可能性があるとき、あるいは、その危険が及ぶ可能性が高いときに、電子機器が接続されているコンセントへの電力供給が遮断される。従って、浸水や洪水等により、コンセントに接続された電子機器がショートすること等による感電を防止することができる。
【０２２４】
また、電子機器が接続されているコンセントへの電力の供給が、上述したような優先順位順で遮断されるので、２次災害を防止するともに、ユーザの避難経路を確保すること等が可能となる。
【０２２５】
なお、家７１には、制御装置７３の他、制御装置１６も設け、制御装置１６と制御装置７３で、図７（図１４）と図１９（図３１）に示した危険情報の両方が登録された危険情報リストを用いることが可能である。この場合、例えば、大雨が降ったときに、制御装置１６によって家が密閉されるので、大雨により家７１が浸水して、電子機器が濡れることによる故障を防止することができる。
【０２２６】
上述した一連の処理は、専用のハードウェアにより実行させることもできるが、ソフトウェアにより実行させることもできる。
【０２２７】
上述した一連の処理をソフトウェアで実行する場合、図３の制御装置１６や図１６の制御装置７３は、例えば、図３３に示されるようなコンピュータをベースとして構成することが可能である。
【０２２８】
即ち、図３３は、コンピュータのベースとして構成した制御装置１６（または制御装置７３）の構成例を示している。
【０２２９】
図３３において、CPU（Central Processing Unit）１５１は、ROM（Read Only Memory）１５２に記憶されているプログラム、または記憶部１５８からRAM（Random Access Memory）１５３にロードされたプログラムに従って各種の処理を実行する。
【０２３０】
RAM１５３にはまた、CPU１５１が各種の処理を実行する上において必要なデータなども適宜記憶される。
【０２３１】
CPU１５１、CPU１５２、およびRAM１５３は、バス１５４を介して相互に接続されている。このバス１５４にはまた、入出力インタフェース１５５も接続されている。
【０２３２】
入出力インタフェース１５５には、キーボード、マウスなどよりなる入力部１５６、ディスプレイなどよりなる出力部１５７、ハードディスクなどより構成される記憶部１５８、および通信部１５９が接続されている。
【０２３３】
入出力インタフェース１５５にはまた、必要に応じてドライブ１６０が接続され、磁気ディスク１６１、光ディスク１６２、光磁気ディスク１６３、或いは半導体メモリ１６４が適宜装着され、それらから読み出されたコンピュータプログラムが、必要に応じて記憶部１５８にインストールされる。
【０２３４】
一連の処理をソフトウェアにより実行させる場合には、そのソフトウェアを構成するプログラムが、図３３のコンピュータに、プログラム格納媒体からインストールされる。
【０２３５】
コンピュータにインストールされ、コンピュータによって実行可能な状態とされるプログラムを格納するプログラム格納媒体は、図３３に示すように、磁気ディスク１６１（フロッピディスクを含む）、光ディスク１６２（CD-ROM(Compact Disk-Read Only Memory)、DVD(Digital Versatile Disk)を含む）、光磁気ディスク１６３（ＭＤ（Mini-Disk）（登録商標）を含む）、もしくは半導体メモリ１６４などよりなるパッケージメディア、または、プログラムが一時的もしくは永続的に格納されるCPU１５２や、記憶部１５８を構成するハードディスクなどにより構成される。プログラム格納媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【０２３６】
CPU１５１は、記憶部１５８にインストールされているプログラムを実行することにより、制御装置１６（または制御装置７３）が行う処理を実行する。
【０２３７】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０２３８】
また、本明細書において、システムとは、複数の装置により構成される装置全体を表すものである。
【０２３９】
なお、本発明は、住居である家に限らず、ビルその他の建物に適用することができる。
【０２４０】
また、電波により送信されてくる放送としては、テレビジョン放送、ラジオ放送、衛星放送、その他の音声情報を得ることができるすべての放送を採用することができる。
【０２４１】
さらに、放送は、電波、即ち、無線によるものに限られるものではなく、ＣＡＴＶ等の有線放送であってもよい。
【０２４２】
また、本実施の形態においては、音声情報から危険情報を検出するようにしたが、危険情報は、文字放送で送られてくる文字情報や、放送信号に含まれる画像情報などから検出してもよい。
【０２４３】
さらに、本実施の形態においては、電子機器のプラグから、電子機器のＩＤと、その電子機器が接続されているコンセントのコンセント情報を含む無線タグを受信することにより、制御装置７３において、コンセントと、そのコンセントに接続されている電子機器との対応関係を取得するようにしたが、この対応関係は、その他、例えば、次のようにして取得することもできる。即ち、コンセントに接続された電子機器には、ＩＤを含む無線タグ（電波）を送信させる。一方、検知部９５では、コンセントの位置をあらかじめ把握しておき、さらに、アンテナ９６として指向性のあるアンテナを採用して、コンセントに接続されたプラグが送信してくる電波を受信する。そして、検知部９５において、コンセントに接続されたプラグが送信してくる電波の方向により、そのプラグの方向を認識するとともに、その電波の受信強度により、そのプラグまでの距離を認識する。そして、検知部９５では、その認識したプラグの方向と距離から、そのプラグの位置を認識し、その位置に最も近いコンセントを、そのプラグを有する電子機器が接続されているコンセントとして、コンセントと、そのコンセントに接続されている電子機器との対応関係を求めることができる。
【図面の簡単な説明】
【０２４４】
【図１】従来の家に設けられているドアを説明する図である。
【図２】図１のドアノブ５のロック機構が破壊された場合を説明する図である。
【図３】本発明を適用した家の第１実施の形態の構成例を示す図である。
【図４】制御装置１６の構成例を示すブロック図である。
【図５】音声認識部２３の構成例を示すブロック図である。
【図６】判定部２４の構成例を示すブロック図である。
【図７】図６のメモリ５３に記憶されている危険情報リストを示す図である。
【図８】制御装置１６の処理を説明するフローチャートである。
【図９】危険情報検出処理を説明するフローチャートである。
【図１０】形状変形処理を説明するフローチャートである。
【図１１】ドア枠１１−ｊに圧力が加えられている状態を説明する図である。
【図１２】ドア枠１１−ｊがドアパネル４に圧着している状態を説明する図である。
【図１３】判定部２４の他の構成例を示すブロック図である。
【図１４】危険情報リストを示す図である。
【図１５】制御装置１６の処理を説明するフローチャートである。
【図１６】本発明を適用した家の第２実施の形態の構成例を示す図である。
【図１７】制御装置７３の構成例を示すブロック図である。
【図１８】判定部９４の構成例を示すブロック図である。
【図１９】図１８のメモリ１０３に記憶されている危険情報リストを示す図である。
【図２０】検知部９５の構成例を示すブロック図である。
【図２１】家７１に設置されたコンセントを示す図である。
【図２２】電子機器のプラグ１３１の構成例を示すブロック図である。
【図２３】接続電子機器リストを示す図である。
【図２４】電子機器電源オフ優先順位リストを示す図である。
【図２５】電子機器電源オフ優先順位リストの他の例を示す図である。
【図２６】接続電子機器オフ順位リストを示す図である。
【図２７】検知部９５の検知処理を説明するフローチャートである。
【図２８】制御装置７３の処理を説明するフローチャートである。
【図２９】電力制御処理を説明するフローチャートである。
【図３０】判定部９４の他の構成例を示すブロック図である。
【図３１】図３０のメモリ１０３に記憶されている危険情報リストを示す図である。
【図３２】制御装置７３の処理を説明するフローチャートである。
【図３３】制御装置１６（制御装置７３）を実現するコンピュータのハードウェア構成例を示すブロック図である。
【符号の説明】
【０２４５】
１  外壁，  ２  隙間，  ３  外淵，  ４  ドアパネル，  ５  ドアノブ，  ６−１  蝶番，  ６−２  蝶番，  ７  送信部，  １１−１乃至１１−３  ドア枠，  １２−１乃至１２−３  電極，  １３  センサ，  １４  センサスイッチ，  １５  アクチュエータ，  １６  制御装置，  １７  アンテナ，  ２１  受信部，  ２２  受信情報処理装置，  ２３  音声認識部，  ２４  判定部，  ２５  記憶部，  ２６  通電処理部，  ２７  検知部，  ２８  アクチュエータ制御部，  ３０  制御部，  ４１  デコーダ部，  ４２  マッチング部，  ４３  メモリ，  ５１  メモリ，  ５２  危険情報判定部，  ５３  メモリ，  ６１  危険度判定部，  ７１  家，  ７２  アンテナ，  ７３  制御装置，  ７４−１乃至７４−６  アクチュエータ，  ７５  部屋，  ７６  部屋，  ７７  部屋，  ７８  部屋，  ７９−１  配電盤，  ７９−２  配電盤，  ８０−１  配電ケーブル，  ８０−２  配電ケーブル，  ８１  アイロン，  ８２  電気ストーブ，  ８３  冷蔵庫，  ８４  ＰＣ，  ９１  受信部，  ９２  受信情報処理部，  ９３  音声認識部，  ９４  判定部，  ９５  検知部，  ９６  アンテナ，  ９７  電力制御部，  １０１  メモリ，  １０２  危険情報判定部，  １０３  メモリ，  １１１  受信部，  １１２  ＩＤ取得部，  １１３  情報特定部，  １１４  優先リスト作成部，  １１５  情報記憶部，  １２１−１乃至１２１−４  コンセント，  １３１  プラグ，  １３２  ＩＤ記憶部，  １３３  送信部，  １３４  アンテナ，  １４１  危険度判定部，  １５１  ＣＰＵ，  １５２  ＲＯＭ，  １５３  ＲＡＭ，  １５４  バス，  １５５  入出力インタフェース，  １５６  入力部，  １５７  出力部，  １５８  記憶部，  １５９  通信部，  １６０  ドライブ，  １６１  磁気ディスク，  １６２  光ディスク，  １６３  光磁気ディスク，  １６４  半導体メモリ
【図１】
2008135053.tif 000003
【図２】
2008135053.tif 000004
【図３】
2008135053.tif 000005
【図４】
2008135053.tif 000006
【図５】
2008135053.tif 000007
【図６】
2008135053.tif 000008
【図７】
2008135053.tif 000009
【図８】
2008135053.tif 000010
【図９】
2008135053.tif 000011
【図１０】
2008135053.tif 000012
【図１１】
2008135053.tif 000013
【図１２】
2008135053.tif 000014
【図１３】
2008135053.tif 000015
【図１４】
2008135053.tif 000016
【図１５】
2008135053.tif 000017
【図１６】
2008135053.tif 000018
【図１７】
2008135053.tif 000019
【図１８】
2008135053.tif 000020
【図１９】
2008135053.tif 000021
【図２０】
2008135053.tif 000022
【図２１】
2008135053.tif 000023
【図２２】
2008135053.tif 000024
【図２３】
2008135053.tif 000025
【図２４】
2008135053.tif 000026
【図２５】
2008135053.tif 000027
【図２６】
2008135053.tif 000028
【図２７】
2008135053.tif 000029
【図２８】
2008135053.tif 000030
【図２９】
2008135053.tif 000031
【図３０】
2008135053.tif 000032
【図３１】
2008135053.tif 000033
【図３２】
2008135053.tif 000034
【図３３】
2008135053.tif 000035